(57)【要約】【課題】  複数のすこのを容易に一体化させることができ、且つ、一体化を容易に解除することができる、すのこ用脚部材を提供する。【解決手段】  一端面７に突出部８が形成され、該突出部８の先端に抜け止め部９が形成され、他端面１０に上向きの凹陥部１１が形成され、さらに次の要件を満たす、すのこ用脚部材１とする。すなわち、前記すのこ用脚部材１を二つ用いて一方のすのこ用脚部材１の前記突出部８と他方のすのこ用脚部材１の前記凹陥部１１とを互いに上下方向に嵌め合わせることにより、前記一方の脚部材１と前記他方の脚部材１とが水平方向に不離一体に連結されることである。【選択図】    図８
0003183464.tif 000002
【実用新案登録請求の範囲】
【請求項１】
すのこ（Ａ，Ｂ）においてすのこ板（２）を支持するすのこ用脚部材（１）であって、一端面（７）に突出部（８）が形成され、該突出部（８）の先端に抜け止め部（９）が形成され、他端面（１０）に上向きの凹陥部（１１）が形成され、さらに次の要件を満たす、すのこ用脚部材。
前記すのこ用脚部材（１）を二つ用いて一方のすのこ用脚部材（１）の前記突出部（８）と他方のすのこ用脚部材の前記凹陥部（１１）とを互いに上下方向に嵌め合わせることにより、前記一方の脚部材（１）と前記他方の脚部材（１）とが水平方向に不離一体に連結されること。
【請求項２】
第一のすのこにおいてすのこ板を支持する第一のすのこ用脚部材と、第二のすのこにおいてすのこ板を支持する第二のすのこ用脚部材とを備え、前記第一のすのこ用脚部材の端面に突出部（８）が形成され、該突出部（８）の先端に抜け止め部（９）が形成され、前記第二のすのこ用脚部材の端面に上向きの凹陥部（１１）が形成され、前記突出部（８）と前記凹陥部（９）とを互いに上下方向に嵌め合わせることにより、前記第一のすのこ用脚部材と前記第二のすのこ用脚部材とが水平方向に不離一体に連結される、すのこ用脚部材。
【考案の詳細な説明】
【技術分野】
【０００１】
本考案は、すのこ用脚部材に関するものである。
【背景技術】
【０００２】
すのこの用途は広く、例えば、浴室、台所、室内、押入れ、ベランダ等、様々な場所に設置して使用される。すのこには、用途に応じて大小様々なサイズがあるが、すのこの基本的な構造は共通しており、次のようなものである。すなわち、すのこは、平行に並ぶ複数のすのこ板と、すこの板を横切る方向に延びる複数の脚部材とを備える。そして、前記すのこ板の下面に前記脚部が固着され、該脚部によって前記すのこ板が支持される（特許文献１〜４参照）。
【先行技術文献】
【特許文献】
【０００３】
【特許文献１】実開平３−３５７８８号公報
【特許文献２】特開２００６−３２５７３１号公報
【特許文献３】特開平９−２４２３０７号公報
【特許文献４】特開２００３−１５９１８７号公報
【考案の概要】
【考案が解決しようとする課題】
【０００４】
すのこの設置場所の面積が広い場合、すのこの単体を縦や横に複数並べて配設することができる。しかし、ただ単にすのこを複数並べただけであると、使用中にすのこの単体同士の間にずれが生ずることが避けられない。そこで、何らかの連結手段を用いてすのこ同士を結合させることが考えられる。しかし、連結手段の種類によっては、連結作業に手間がかかる場合がある。また、一旦連結してしまうと、その後連結を解除したい場合に、連結が容易には解除できない等の問題もある。
【０００５】
また、複数のすのこを用いて、必要に合ったサイズのすのこを簡単に作ることができれば便利である。
【０００６】
本考案は、前記のような事情に鑑みてなされたもので、複数のすこのを容易に一体化させることができ、且つ、一体化を容易に解除することができる、すのこ用脚部材を提供しようとするものである。
【課題を解決するための手段】
【０００７】
前記課題を解決するため、本考案に係るすのこ用脚部材は、すのこにおいてすのこ板を支持するすのこ用脚部材であって、一端面に突出部が形成され、該突出部の先端に抜け止め部が形成され、他端面に上向きの凹陥部が形成され、さらに次の要件を満たすものである。すなわち、前記すのこ用脚部材を二つ用いて一方のすのこ用脚部材の前記突出部と他方のすのこ用脚部材の前記凹陥部とを互いに上下方向に嵌め合わせることにより、前記一方の脚部材と前記他方の脚部材とが水平方向に不離一体に連結されることである（請求項１）。
【０００８】
本考案によれば、二つのすのこ用脚部材の連結に必要な作業は、前記突出部と前記凹陥部とを互いに上下方向に嵌め合わせることだけである。同様に、二つのすのこ用脚部材の連結解除に必要な作業は、前記突出部と前記凹陥部との嵌め合わせを上下方向に解除することだけである。このため、二つのすのこ用脚部材を簡単な作業で不離一体に連結でき、且つ、その連結を簡単に解除できる。同様にして、三つ以上のすのこ用脚部材を連結することもできる。よって、複数のすのこを並べて使用する場合に、すのこ間のずれが簡単に防止できる。また、複数のすのこを用いて幅広のすのこを簡単に作製できる。
【０００９】
他の実施の形態に係るすのこ用脚部材は、第一のすのこにおいてすのこ板を支持する第一のすのこ用脚部材と、第二のすのこにおいてすのこ板を支持する第二のすのこ用脚部材とを備え、前記第一のすのこ用脚部材の端面に突出部が形成され、該突出部の先端に抜け止め部が形成され、前記第二のすのこ用脚部材の端面に上向きの凹陥部が形成され、前記突出部と前記凹陥部とを互いに上下方向に嵌め合わせることにより、前記第一のすのこ用脚部材と前記第二のすのこ用脚部材とが水平方向に不離一体に連結されることを特徴とする（請求項２）。
【００１０】
前記実施の形態によれば、二つのすのこ用脚部材の連結に必要な作業は、前記突出部と前記凹陥部とを互いに上下方向に嵌め合わせることだけである。同様に、二つのすのこ用脚部材の連結解除に必要な作業は、前記突出部と前記凹陥部との嵌め合わせを上下方向に解除することだけである。このため、二つのすのこ用脚部材を簡単な作業で不離一体に連結でき、且つ、その連結を簡単に解除できる。よって、二つのすのこを並べて使用する場合に、すのこ間のずれが簡単に防止できる。また、二つのすのこを用いて幅広のすのこを簡単に作製できる。
【図面の簡単な説明】
【００１１】
【図１】本考案の実施の一形態に係るすのこ用脚部材を含む二つのすのこの平面図である。
【図２】図１のＩＩ矢視拡大図であり、二つのすのこを連結させる様子を示している。
【図３】図１に含まれるすのこ用脚部材の平面図である。
【図４】図３のすのこ用脚部材を一方向から見た斜視図である。
【図５】図３のすのこ用脚部材の底面図である。
【図６】図３のすのこ用脚部材を他方向から見た部分斜視図である。
【図７】図６のＶＩＩ矢視図である。
【図８】突出部と凹陥部を上下方向に嵌合させる様子を示す側面図である。
【図９】突出部と凹陥部の嵌合状態を示す、一部を断面とした側面図である。
【図１０】突出部と凹陥部の嵌合状態の底面図である。
【考案を実施するための形態】
【００１２】
以下、添付図面を参照して、本考案の実施の一形態について説明する。
【００１３】
本考案に係るすのこ用脚部材は、ホームセンター等で販売し、購入者が家庭で手軽にすのこを作製できるようにするものである。例えば、すのこ板としていわゆるワンバイフォー材（厚さ１９ｍｍ、幅８９ｍｍ）を用いることとし、このワンバイフォー材との組み合わせで、すのこが容易に作製できるような寸法で提供すると好適である。但し、これには限定されず、本考案に係るすのこ用脚部材を用いてすのこの完成品を製造し、それを販売してもよいことは勿論である。
【００１４】
図１に示すように、本考案の実施の一形態に係るすのこ用脚部材１は、すのこ板２と共にすのこＡを構成する要素である。すなわち、すのこＡは、複数のすのこ板２と複数の脚部材１とを備え、すのこ板２と脚部材１とが固着されることですのこＡが形成される。脚部材１は、すのこ板２の下面にすのこ板２を横切るように配置されて、前記すのこ板２を支持する。通常、すのこ板の長さによってすのこの長さが定まり、脚部材の長さによってすのこの横幅が定まる。すのこ板の長さや数量、脚部材の長さや数量は任意であり、すのこに必要な大きさに応じて定められる。図１のすのこＡは、すのこ板２を四枚と脚部材１を三つ使用した例であり、すのこＢは、すのこ板２を二枚と脚部材１を三つ使用した例である。
【００１５】
なお、前記すのこ板２は木材、前記各脚部材１は耐荷重性の良好なプラスチックを用いて作製すると好適である。
【００１６】
図２〜図４に示すように、前記各脚部材１は、すのこ板２を支持する本体部３を備える。この本体部３の上面３ａの両端には、端部スペーサ４，４が一体形成されている。この端部スペーサ４，４は、すのこＡ，Ｂにおいて両端のすのこ板２の端面に当接する（図２参照）。前記本体部２の上面３ａにおいて前記端部スペーサ４，４同士の間には、中間スペーサ５が一体形成されている。中間スペーサ５は、隣接するすのこ板２，２同士の間に間隔を開けるためのものである。中間スペーサ５と端部スペーサ４のうち隣接するスペーサ同士の間に、一つのすのこ板２が受け入れられる。したがって、中間スペーサ５の配設数によって、すのこ板２の支持数量が決まる。例えば、図２のすのこＢのように中間スペーサ５が一つの場合には、両端の端部スペーサ４，４との間で合計二つのすのこ板２を支持できる。中間スペーサ５が二つの場合には合計三つのすのこ板２を、中間スペーサ５が三つの場合には合計四つのすのこ板２を支持できる（図２のすのこＡ参照）。図２に示すように、前記端部スペーサ４，４と前記中間スペーサ５の高さ寸法は、すのこ板の厚さ寸法よりも小さい。
【００１７】
なお、図２及び図３に示すように、前記端部スペーサ４の横幅Ｗ１は、前記中間スペーサ５の横幅Ｗ２の半分の寸法とされている。これは、後で述べるように、二つの脚部材１，１同士を連結したときに、二つの端部スペーサ４，４が重なり合って中間スペーサ５と同一の横幅になるようにするためである。
【００１８】
前記脚部材１の使用数量は、すのこ板２の長さに応じて適宜に決定する。すなわち、すのこ板２の長さ方向において隣り合う脚部材１，１同士の間ですのこ板２の強度が十分保てるように、脚部材１の配設間隔を定める。
【００１９】
図３〜図５に示すように、前記脚部材１には、前記スペーサ同士の間に取付孔６が形成される。この取付孔６には、固着手段としてのタッピングねじ（図示せず）が下から挿通される。実際には、前記タッピングねじのねじ込み作業は、すのこ板２と脚部材１を裏返して行う。具体的には、すのこ板２を必要本数だけ裏返しにして並べ、その上に脚部材１を裏返しにして配設する。そして、前記取付孔６にタッピングねじを挿通し、ねじの頭部が前記脚部材の裏面に当接するまで前記すのこ板２に対して前記タンピングねじをねじ込めばよい。
【００２０】
本実施の形態に係る脚部材１は、前記のようにして作製したすのこを複数用いて（例えば図１及び図２のすのこＡ，Ｂ）、面積の大きなすのこを容易に作製できるように工夫されたものである。具体的には、二つ以上のすのこの脚部材１を脚部材の長さ方向に互いに容易に連結でき、且つ、その連結を容易に解除できる構成の提案である。したがって、連結される二以上のすのこにおいて、少なくともすのこ板の長さ方向における脚部材同士の間の間隔だけは同一であることを要する。
【００２１】
以下、前記脚部材同士の連結構造について詳細に説明する。
【００２２】
図２〜図５に示すように、前記各脚部材１において、前記本体部３の垂直な一端面７に水平方向に延びる突出部８が形成され、この突出部８の先端に抜け止め部９が形成されている。図示例では、前記本体部３の一端面７につき、前記突出部８が横に並べて二つ形成されているが、これは連結状態での強度と安定性を高めるためであり、前記突出部８は一つであってもよい。前記抜け止め部９は、前記各突出部８の先端の下面以外の部分にフランジ状に形成されている。
【００２３】
図２〜図７に示すように、前記本体部３の垂直な他端面１０には、上向きの凹陥部１１が形成される。この凹陥部１１は下部が開口しており、上方へと窪んでいる。前記凹陥部１１の配設数は、前記突出部８の配設数に対応して定まる。図５に示すように、前記各脚部材１の本体部３は、成形材料の節約と軽量化の観点から、上板部１２と、該上板部１２の周囲に形成される下向きの垂直な周壁部１３とからなり、強度保持のために、前記上板部１２の裏面の適宜の箇所にリブ１４が配設されている。前記凹陥部１１は、前記周壁部１３の一部に切欠状に形成されている。
【００２４】
なお、前記脚部材１の底面が中空でなく中実状である場合には、前記突出部８と前記抜け止め部９とに対応する形状の凹陥部を前記脚部材の底面に設け、前記凹陥部に前記突出部８と前記抜け止め部９とが下から嵌り込むようにすればよい。
【００２５】
図８〜図１０に示すように、前記突出部８と前記凹陥部１１は、次の要件を満たす。すなわち、前記脚部材１を二つ用いて一方の脚部材１の前記突出部８と他方の脚部材１の前記凹陥部１１とを互いに上下方向に嵌め合わせることにより（図８参照）、前記一方の脚部材１と前記他方の脚部材１とが水平方向に不離一体に連結される（図９、図１０参照）。前記突出部８と前記凹陥部１１は互いにぴったりと嵌り合う寸法に形成される。前記突出部８と前記凹陥部１１を嵌め合わせると、抜け止め部９が前記周壁部１３の内面に当接して、二つの脚部材１，１の水平方向への分離が阻止される。図８に示すように、前記突出部８の長さＬ、すなわち、前記本体部３の一端面７と前記抜け止め部９との間の間隔Ｌは、前記凹陥部１１が形成される前記周壁部１３の厚みＴよりごく僅かに大きい寸法である。このため、図９及び図１０に示すように、前記二つの脚部材１，１の連結状態において、該二つの脚部材１，１同士の間のクリアランスは極めて僅かなものとなる。
【００２６】
なお、図９に示すように、二つの脚部材１，１を連結させた状態において、二つの端部スペーサ４が重なり合って、中間スペーサ５と同一の横幅Ｗ２になる。
【００２７】
本実施の形態によれば、二つの脚部材１，１の連結に必要な作業は、前記突出部８と前記凹陥部１１とを互いに上下方向に嵌め合わせることだけである。同様に、二つの脚部材１，１の連結解除に必要な作業は、前記突出部８と前記凹陥部１１との嵌め合わせを上下方向に解除することだけである。このため、二つの脚部材１，１を簡単な作業で不離一体に連結でき、且つ、その連結を簡単に解除できる。同様にして、三つ以上の脚部材を脚部材の長さ方向に連結することもできる。よって、二つ以上のすのこを並べて使用する場合に、各すのこの脚部材１，１同士を互いに連結することで、すのこ間のずれが簡単に防止できる。また、二つ以上のすのこを用いて幅広のすのこを簡単に作製できる。
【００２８】
なお、複数のすのこを連結した状態において、連結された脚部材の端部に現れる余分な突出部８は金鋸等でカットすることができる。これにより、すのこの連結体において余分な突出がなくなるので、邪魔にならず外観も良くなる。
【００２９】
本実施の形態では、全ての脚部材が長さの違いを除いて全く同一の構成（脚部材１の一端に突出部８及び抜け止め部９を備え、他端に凹陥部を備える）であるが、他の実施の形態として、第一のすのこにおいてすのこ板を支持する第一のすのこ用脚部材に前記突出部８及び抜け止め部９のみを形成し、第二のすのこにおいてすのこ板を支持する第二のすのこ用脚部材に前記凹陥部１１のみを形成した態様とすることもできる。この場合にも、図８〜図１０に示したものと同様に、前記突出部８と前記凹陥部１１とを互いに上下方向に嵌め合わせることにより、前記第一のすのこ用脚部材と前記第二のすのこ用脚部材とが水平方向に不離一体に連結される。この実施の形態では、二つのすのこに限定はされるが、すのこ同士を互いに容易に連結したりその連結を容易に解除したりできる点で、本考案の範囲内である。
【符号の説明】
【００３０】
１    すのこ用脚部材
２    すのこ板
７    一端面
８    突出部
９    抜け止め部
１０  他端面
１１  凹陥部
Ａ，Ｂ  すのこ
【図１】
0003183464.tif 000003
【図２】
0003183464.tif 000004
【図３】
0003183464.tif 000005
【図４】
0003183464.tif 000006
【図５】
0003183464.tif 000007
【図６】
0003183464.tif 000008
【図７】
0003183464.tif 000009
【図８】
0003183464.tif 000010
【図９】
0003183464.tif 000011
【図１０】
0003183464.tif 000012